【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
浴室の浴槽の上方の天井に浴室暖房機を設置し、吹き出し口から温風を吹き出して浴室内を暖房する暖房手段と、温水のミストを噴霧するミストノズルとを浴室暖房機に具備し、ミストノズルから温水のミストを噴霧すると共に温風を吹き出し口から吹き出して浴室の洗い場に居る入浴者がミストサウナ浴をし得るようにしたミストサウナ装置であって、ミストノズルのミストを噴出する向きを洗い場側に向けて固定的に設け、吹き出し口から吹き出す温風の向きを可変し得る風向可変手段を設けるとともに、ミストノズルから温水のミストを噴霧すると共に吹き出し口から温風を吹き出してミストサウナ浴をするとき風向可変手段により温風の吹き出す風向を変えることによって温風の吹き出し方向に温水のミストの飛翔方向を沿わせて温水のミストの飛翔方向を可変し得るようにしたことを特徴とするミストサウナ装置。
【請求項２】
風向可変手段は風向スイッチの操作により可動ルーバーを回動して温風の吹き出す風向を変更することを特徴とする請求項１に記載のミストサウナ装置。
【請求項３】
ミストノズルより洗い場側に温風の吹き出し口を配置し、ミストノズルから温水のミストを噴霧すると共に吹き出し口から温風を吹き出してミストサウナ浴をする際に、吹き出し口から下方に温風を吹き出すようにしたときには吹き出し口から吹き出す温風がエアーカーテンとなって洗い場側にミストが行きにくいようにしたことを特徴とする請求項２記載のミストサウナ装置。
【請求項４】
スイッチの操作でミストノズルのミストの噴出量の強弱を切り替えるミスト量切り替え手段を設けたことを特徴とする請求項１または請求項３記載のミストサウナ装置。
【請求項５】
温風用熱交換器に循環用ファンで送風することにより得られた温風を吹き出し口から吹き出すようにし、循環用ファンの風量を変えて吹き出し口から吹き出す温風の風量を変えることにより浴室の温度を制御するようにしたことを特徴とする請求項１乃至請求項４のいずれかに記載のミストサウナ装置。
【請求項６】
浴室の温度を吹き出し口から吹き出す温風の風量で制御するようにし、吹き出し口から吹き出す温風の風向を洗い場側に向けて強力なミストサウナ浴をするときはスイッチ操作で浴室の設定温度を高くして温風の送風量を増大させられるようにしたことを特徴とする請求項１乃至請求項４のいずれかに記載のミストサウナ装置。
【請求項７】
吹き出し口から下方に温風を吹き出すように風向を変えて温風のエアーカーテンでミストが洗い場側に行きにくいようにしてマイルドなミストサウナ浴をするとき、スイッチ操作でミスト噴出量が弱になるようにミスト量切り替え手段を切り替えられるようにしたことを特徴とする請求項３または請求項４に記載のミストサウナ装置。
【請求項８】
ミスト量切り替え手段は２個のミストノズルから温水のミストを同時に噴霧するか２個のミストノズルの一方から温水のミストを噴霧するかで切り替えることを特徴とする請求項４乃至請求項７のいずれかに記載のミストサウナ装置。
【手続補正２】
【補正対象書類名】明細書
【補正対象項目名】０００６
【補正方法】変更
【補正の内容】
【０００６】
上記課題を解決するために本発明の請求項１のミストサウナ装置は、浴室１の浴槽２の上方の天井３に浴室暖房機Ａを設置し、吹き出し口５から温風を吹き出して浴室１内を暖房する暖房手段と、温水のミストを噴霧するミストノズル６とを浴室暖房機Ａに具備し、ミストノズル６から温水のミストを噴霧すると共に温風を吹き出し口５から吹き出して浴室１の洗い場７に居る入浴者Ｈがミストサウナ浴をし得るようにしたミストサウナ装置であって、ミストノズル６のミストを噴出する向きを洗い場７側に向けて固定的に設け、吹き出し口５から吹き出す温風の向きを可変し得る風向可変手段を設けるとともに、ミストノズル６から温水のミストを噴霧すると共に吹き出し口５から温風を吹き出してミストサウナ浴をするとき風向可変手段により温風の吹き出す風向を変えることによって温風の吹き出し方向に温水のミストの飛翔方向を沿わせて温水のミストの飛翔方向を可変し得るようにしたことを特徴とする。
【手続補正３】
【補正対象書類名】明細書
【補正対象項目名】０００７
【補正方法】変更
【補正の内容】
【０００７】
上記構成によれば、ミストノズル６から洗い場７に向けてミストを噴霧するとき、吹き出し口５から洗い場７に向けて温風を吹き出すと、温風に乗って洗い場７の方に飛翔して洗い場７に居る入浴者Ｈにミストを当てることができて強力なミストサウナ浴ができる。また吹き出し口５から洗い場７に向けて温風を吹き出すとき、風向可変手段により温風の吹き出す風向を変える、温風に乗って飛翔するミストの飛翔方向を変えることができ、入浴者Ｈの上半身にミストを浴びたり、下半身にミストを浴びたりするミストサウナ浴ができる。
また本発明の請求項２のミストサウナ装置は、請求項１において、風向可変手段は風向スイッチ８の操作により可動ルーバー９を回動して温風の吹き出す風向を変更することを特徴とする。これにより、風向スイッチ８を操作することで可動ルーバー９を回転させて吹き出し口５を開閉したり、吹き出し口５から吹き出す風向を変えることができるようになる。
また本発明の請求項３のミストサウナ装置は、請求項２において、ミストノズル６より洗い場７側に温風の吹き出し口５を配置し、ミストノズル６から温水のミストを噴霧すると共に吹き出し口５から温風を吹き出してミストサウナ浴をする際に、吹き出し口５から下方に温風を吹き出すようにしたときは吹き出し口５から吹き出す温風がエアーカーテンとなって洗い場７側にミストが行きにくいようにしたことを特徴とする。この場合、風向スイッチ８の操作で可動ルーバー９を回動して吹き出し口５から下方に向けて温風を吹き出すと、吹き出し口５から吹き出す温風がエアーカーテンとなって洗い場７にミストが行きにくくなり、洗い場７に居る入浴者Ｈにミストが直接かからなくてマイルドなミストサウナ浴ができる。
【手続補正４】
【補正対象書類名】明細書
【補正対象項目名】０００８
【補正方法】変更
【補正の内容】
【０００８】
また本発明の請求項４のミストサウナ装置は、請求項１または請求項３において、スイッチの操作でミストノズル６のミストの噴出量の強弱を切り替えるミスト量切り替え手段を設けたことを特徴とする。この場合、吹き出し口５から洗い場７に向けて温風を吹き出して強力なミストサウナ浴するとき、スイッチの操作でミスト量切り替え手段を切り替えてミストノズル６からのミスト噴出量を強にすると、多量のミストが入浴者Ｈに当ってより強力なミストサウナ浴ができる。また吹き出し口５から下方に向けて温風を吹き出してマイルドなミストサウナするとき、スイッチの操作でミスト量切り替え手段を切り替えてミストノズル６からのミスト噴出量を弱にすると、一層ミストが入浴者Ｈに直接当たらなくてよりマイルドなミストサウナ浴ができる。
【手続補正５】
【補正対象書類名】明細書
【補正対象項目名】０００９
【補正方法】変更
【補正の内容】
【０００９】
また本発明の請求項５のミストサウナ装置は、請求項１乃至請求項４のいずれかにおいて、温風用熱交換器１０に循環用ファン１１ａで送風することにより得られた温風を吹き出し口５から吹き出すようにし、循環用ファン１１ａの風量を変えて吹き出し口５から吹き出す温風の風量を変えることにより浴室１の温度を制御するようにしたことを特徴とする。上記のように吹き出し口５から洗い場７に向けて温風を吹き出して強力なミストサウナ浴をするとき浴室温度を高く設定することで大風量の温風が入浴者Ｈに当てられより一層の強力なミストサウナ浴を行なうことができる。また吹き出し口５から下方に温風を吹き出して洗い場７にミストが行きにくいようにしてマイルドなミストサウナ浴を行なうとき、浴室１の温度を低くすることで吹き出し口５から吹き出す温風の風量を少なくして温風が入浴者Ｈに当らないようにしてより一層マイルドなミストサウナ浴を行なうことができる。
【手続補正６】
【補正対象書類名】明細書
【補正対象項目名】００１０
【補正方法】変更
【補正の内容】
【００１０】
また本発明の請求項６のミストサウナ装置は、請求項１乃至請求項４のいずれかににおいて、浴室１の温度を吹き出し口５から吹き出す温風の風量で制御するようにし、吹き出し口５から吹き出す温風の風向を洗い場７側に向けて強力なミストサウナ浴をするときはスイッチ操作で浴室１の設定温度を高くして温風の送風量を増大させられるようにしたことを特徴とする。このようにして強力なミストサウナ浴を容易に実現できる。
【手続補正７】
【補正対象書類名】明細書
【補正対象項目名】００１１
【補正方法】変更
【補正の内容】
【００１１】
また本発明の請求項７のミストサウナ装置は、請求項３または請求項４において、吹き出し口５から下方に温風を吹き出すように風向を変えて温風のエアーカーテンでミストが洗い場７側に行きにくいようにしてマイルドなミストサウナ浴をするとき、スイッチ操作でミスト噴出量が弱になるようにミスト量切り替え手段を切り替えられるようにしたことを特徴とする。このようにしてマイルドなミストサウナ浴を容易に実現できる。
【手続補正８】
【補正対象書類名】明細書
【補正対象項目名】００１２
【補正方法】変更
【補正の内容】
【００１２】
また本発明の請求項８のミストサウナ装置は、請求項４乃至請求項７のいずれかにおいて、ミスト量切り替え手段は２個のミストノズル６から温水のミストを同時に噴霧するか２個のミストノズル６の一方から温水のミストを噴霧するかで切り替えることを特徴とする。このようにすることでミスト量の強弱の切り替えが容易にできる。
【手続補正９】
【補正対象書類名】明細書
【補正対象項目名】００１８
【補正方法】変更
【補正の内容】
【００１８】
ミスト用給水管路２１には水道水のような上水が供給されるようになっており、入口側から順にストレーナ２３、電磁弁のような給水開閉弁２４を設けてある。上記暖房用温水管路１６には温風用熱交換器１０と並列になるようにミスト加熱用管路２５を設けてあり、このミスト加熱用管路２５の途中にはミスト加熱用管路２５を流れる温水の流れを制御する比例弁２６を設けてある。またミスト加熱用管路２５とミスト用給水管路２１との間にはプレート式熱交換器などの液―液熱交換器であるミスト用熱交換器２７を配置してあり、ミスト加熱用管路２５を流れる温水でミスト用給水管路２１を流れるミスト用の水が加熱されるようになっている。ミスト用熱交換器２７とミスト開閉弁２２ａ，２２ｂとの間でミスト用給水管路２１からミスト用排水管路２８を分岐してあり、ミスト用給水管路２１内の水をミスト用排水管路２８から浴室１内または浴室１外に排出できるようになっている。ミスト用排水管路２８には電磁弁のような排水開閉弁２９と負圧を発生して排水が逆流するのを防止するバキュームブレーカ３０を設けてある。またミスト用熱交換器２７とミスト開閉弁２２ａ，２２ｂとの間でミスト用給水管路２１にはミスト用給水管路２１を流れる温水の温度を検出するミスト温水サーミスタＴＨ１を配置してある。
【手続補正１０】
【補正対象書類名】明細書
【補正対象項目名】００３０
【補正方法】変更
【補正の内容】
【００３０】
ところが、一般的に循環用ファン１１ａの風量レベルを小さくし過ぎると、温風の熱が浴室１内の天井３付近にこもるようになり、このとき天井３付近に設置される浴室温度サーミスタＴＨ３は、天井３付近の温度を検知しているため、浴室温度サーミスタＴＨ３の検知温度が設定温度より高いにも拘わらず、入浴者Ｈが居る浴室１の下方付近の温度が低過ぎるということがある。つまり、天井３付近と入浴者Ｈの居る浴室１下方付近との間で温度ギャップが大きくなる。
【手続補正１１】
【補正対象書類名】明細書
【補正対象項目名】００３１
【補正方法】変更
【補正の内容】
【００３１】
そこで本例の場合、温度偏差Ｋ（＝浴室温度サーミスタＴＨ３で検知する浴室温度−設定温度）が小レベル（例えば０〜＋３）の段階では、暖房負荷が大きい状態（入浴者Ｈが居る浴室１下方付近の温度が低い）と予測して、例えば図９（ａ）に示すように温度偏差Ｋに応じて循環用ファン１１ａの風量レベルを最大風量Ａ１から最小風量Ａ５までの５段階（Ａ１＞Ａ２＞Ａ３＞Ａ４＞Ａ５）で変化させる。具体的には温度偏差Ｋが＋１のときは風量レベルをＡ２からＡ３に１段階下げ、温度偏差Ｋが＋２のときはＡ３からＡ４に１段階下げる。最終的にＡ５の段階まで下げたときは暖房用開閉弁１８を全閉状態にして温風用熱交換器１０の加熱を停止するが、この加熱停止状態でも循環用ファン１１ａは微風量で回転している。
【手続補正１２】
【補正対象書類名】明細書
【補正対象項目名】００３２
【補正方法】変更
【補正の内容】
【００３２】
また上記のように循環用ファン１１ａの風量レベルを小さくしても温度偏差Ｋが大きくなって行く場合（本例では、＋４〜＋６）は、暖房負荷が小さい状態（入浴者Ｈが居る浴室１下方付近の温度がある程度高い）と予測して、例えば図９（ｂ）に示すように比例弁２６の開度を段階的に絞ることでミスト噴霧温度を例えば５℃きざみで４段階（Ｂ１＞Ｂ２＞Ｂ３＞Ｂ４）で変化させる。具体的には温度偏差Ｋが＋４のときは比例弁２６を１段絞ってミスト噴霧温度をＢ１からＢ２に１段階下げ、温度偏差Ｋが＋５のときは同様にしてミスト噴霧温度をＢ２からＢ３に１段階下げる。最終的にＢ４の段階まで下げると比例弁２６を全閉状態にしてミスト用熱交換器２７の加熱を停止するが、この加熱停止状態でもミストは噴霧されている。
【手続補正１３】
【補正対象書類名】明細書
【補正対象項目名】００３３
【補正方法】変更
【補正の内容】
【００３３】
このように、天井３付近と入浴者Ｈの居る浴室１下方付近との間で温度差があることを見越して、循環用ファン１１ａの回転数制御からミスト噴霧温度の制御に切り替えることによりミストサウナ浴の途中で浴室１下方付近の温度が上がり過ぎたり、下がり過ぎたりするのを極力防止できるようになる。